(57)【要約】【課題】１層式や２層式のトイレに使用でき、排泄物処理材を容易に捨てられ、臭いを抑えることができる愛玩動物用排泄物処理材セットを提供する。【解決手段】排泄物処理材セット１００は、高吸水シート１０と、中敷ネット２０と、猫砂３０等とを備えており、高吸水シート１０をトイレ容器１の底部に配置し、この高吸水シート１０の上に中敷ネット２０を配置し、さらに、この中敷ネット２０の上に猫砂３０を敷くことにより、いわゆる１層式のペット用トイレとして使用している。高吸水シート１０は、吸水紙１２ａ，１２ｂと、高吸水性樹脂１３、パルプ１４、カーボン材１５及び抗菌剤を含む混合物と、不織布１６とからなり、これらが互いに積層された状態でエンボス加工されている。猫砂３０は、その表面積の３０乃至７０％が撥水剤により覆われており、その表面の一部が撥水部３０ｂであり、この撥水部３０ｂ以外の部分が低吸水部３０ａとなる。【選択図】図１
2008141956.tif 000002
【特許請求の範囲】
【請求項１】
トイレ容器の底部に配置され、高吸水性と抗菌性とがある高吸水シートと、
前記高吸水シートの上に配置され、液通過性がある通過シートと、
前記通過シートの上に配置され、その表面の一部が低吸水性であり、低吸水性以外の部分が撥水性である排泄物処理材と、
を備えた愛玩動物用排泄物処理材セット。
【請求項２】
請求項１に記載の愛玩動物用排泄物処理材セットにおいて、
前記排泄物処理材は、その表面積の３０乃至７０％に撥水性があること、
を特徴とする愛玩動物用排泄物処理材セット。
【請求項３】
請求項１又は請求項２に記載の愛玩動物用排泄物処理材セットにおいて、
前記排泄物処理材は、その液通過率が９５％以上であること、
を特徴とする愛玩動物用排泄物処理材セット。
【請求項４】
請求項１から請求項３までのいずれか１項に記載の愛玩動物用排泄物処理材セットにおいて、
前記排泄物処理材は、粉状ゼオライト８５乃至９５重量部、粉状バインダー５乃至１５重量部を含有する混合物の造粒物であり、
前記造粒物は、粒径及び長さが３．５乃至５．５ｍｍ、嵩密度が０．７ｇ／ｃｍ3以上であること、
を特徴とする愛玩動物用排泄物処理材セット。
【発明の詳細な説明】
【技術分野】
【０００１】
本発明は、猫や犬等やその他の愛玩小動物用のトイレに好適に用いられる愛玩動物用排泄物処理材セットに関するものである。
【背景技術】
【０００２】
従来、この種の愛玩動物用排泄物処理材セットは、例えば、プラスチック製のトレイと、このトレイに配置されるすのこ状容器等からなる、いわゆる２層式のトイレに用いられていた（例えば、特許文献１）。
【０００３】
特許文献１は、このすのこ状容器の上に低吸水性の排泄物処理材を配し、さらに、すのこ状容器の下方に殺菌剤や消臭剤を含む水解性シートを配したペット用排泄物処理具を開示している。
特許文献１のペット用排泄物処理具によれば、排泄物処理材自体の吸収性が低いので、排泄された尿が、素早く排泄物処理材の間、及びすのこ状容器を通過し、すのこ状容器の下方に配された水解性シートに吸収されやすくしようとしている。
【０００４】
しかし、特許文献１のペット用排泄物処理具は、すのこ状容器の上に配された猫砂を袋等に詰めて捨てるときに、猫の尿を吸水した猫砂が飛散したり、手に付着してしまい、捨て難かった。
また、このペット用排泄物処理具に用いられる排泄物処理材は、その吸水性を調整するために、合成樹脂を用いており、製造コストが大きくなってしまう。
さらに、この排泄物処理材は、その表面全体が低吸水性であるので、猫の尿をある程度吸水するが、その吸水能力が低下したときに、悪臭が発生してしまうことがあった。また、トレイの深さが浅いものの場合、猫が用便した後、必ず砂かけをするので、飛び散りが多過ぎて、トレイの周辺を汚してしまう欠点があった。
【０００５】
【特許文献１】特開２００３−１８０１８２号公報
【発明の開示】
【発明が解決しようとする課題】
【０００６】
本発明の課題は、１層式や２層式のトイレに使用でき、排泄物処理材を容易に捨てられ、臭いを抑えることができる愛玩動物用排泄物処理材セットを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、トイレ容器（１）の底部に配置され、高吸水性と抗菌性とがある高吸水シート（１０）と、前記高吸水シート（１０）の上に配置され、液通過性がある通過シート（２０）と、前記通過シート（２０）の上に配置され、その表面の一部（３０ａ）が低吸水性であり、低吸水性以外の部分（３０ｂ）が撥水性である排泄物処理材（３０）と、を備えた愛玩動物用排泄物処理材セットである。
【０００８】
請求項２の発明は、請求項１に記載の愛玩動物用排泄物処理材セットにおいて、前記排泄物処理材（３０）は、その表面積の３０乃至７０％に撥水性があること、を特徴とする愛玩動物用排泄物処理材セットである。
【０００９】
請求項３の発明は、請求項１又は請求項２に記載の愛玩動物用排泄物処理材セットにおいて、前記排泄物処理材（３０）は、その液通過率が９５％以上であること、を特徴とする愛玩動物用排泄物処理材セットである。
【００１０】
請求項４の発明は、請求項１から請求項３までのいずれか１項に記載の愛玩動物用排泄物処理材セットにおいて、前記排泄物処理材（３０）は、粉状ゼオライト８５乃至９５重量部、粉状バインダー５乃至１５重量部を含有する混合物の造粒物であり、前記造粒物は、粒径及び長さが３．５乃至５．５ｍｍ、嵩密度が０．７ｇ／ｃｍ3以上であること、を特徴とする愛玩動物用排泄物処理材セットである。
【発明の効果】
【００１１】
（１）本発明の愛玩動物用排泄物処理材セットは、その表面の一部が低吸水性であり、低吸水性以外の部分が撥水性である排泄物処理材が配置されているので、愛玩動物の尿が、排泄物処理材の撥水性である部分に接触すると、この尿は、排泄物処理材に吸収されずに、素早く通過シートを通過して高吸水シートに吸収されやすくなり、また、愛玩動物の尿が、排泄物処理材の低吸水性である部分に接触すると、この尿は、表面張力により液滴となったとしても、この低吸水性である部分に吸収され、そのために、排泄物処理材の表面には尿が残り難く、臭いを抑えることができる。
また、高吸水シートの上に、液通過性がある通過シートが配置されているので、トイレ容器が１層式又は２層式であっても、高吸水シートと通過シートと排泄物処理材とを用いることができ、さらに、排泄物処理材を通過シートで包み込んだ状態で容易に捨てることができる。
【００１２】
（２）排泄物処理材は、その表面積の３０乃至７０％に撥水性があるので、排泄物処理材の吸水性を部分的に低下させることができる。
【００１３】
（３）排泄物処理材は、その液通過率が９５％以上であるので、愛玩動物の尿のほとんどが、排泄物処理材を素早く通過し、また、排泄物処理材の表面で液滴となった尿は吸収される。
【００１４】
（４）排泄物処理材は、粉状ゼオライト８５乃至９５重量部、粉状バインダー５乃至１５重量部を含有する混合物の造粒物であり、この造粒物は、粒径及び長さが３．５乃至５．５ｍｍ、嵩密度が０．７ｇ／ｃｍ3以上であるので、造粒物は、粒が大きく、液通過率を高めることができ、また、粉状ゼオライトが強い圧力により固められているので、粉状ゼオライトの吸水性を低下させることができ、しかも、固く締まって重いので、粉が舞うことが少なく、猫の砂かけにより、トイレ容器の外に飛び散って汚さない。
【発明を実施するための最良の形態】
【００１５】
本発明は、１層式や２層式のトイレに使用でき、排泄物処理材を容易に捨てられ、臭いを抑えることができる愛玩動物用排泄物処理材セットを提供するという目的を、トイレ容器の底部に配置され、高吸水性と抗菌性とがある高吸水シートと、この高吸水シートの上に配置され、液通過性がある中敷ネットと、この中敷ネットの上に配置され、その表面の一部が低吸水性であり、低吸水性以外の部分が撥水性である猫砂とを備えることによって実現する。
【実施例１】
【００１６】
以下、図面等を参照して、本発明の実施例をあげて、さらに詳しく説明する。
図１は、本発明による愛玩動物用排泄物処理材セットの実施例１を示す図である。図１（ａ）は、断面図であり、図１（ｂ）は、上面図である。
愛玩動物用排泄物処理材セット（以下、処理材セットという）１００は、高吸水シート１０と、中敷ネット２０と、排泄物処理材である猫砂３０等とを備えている。なお、以下では、処理材セット１００を、すのこ状容器等を用いない、いわゆる１層式のペット用トイレ５０に使用した場合について説明する。
【００１７】
高吸水シート１０は、トイレ容器１の底部に配置されており、高吸水性と抗菌性と脱臭性とがある（図２参照、詳細は後述）。高吸水シート１０は、その大きさが、例えば、３０×４５ｃｍであり、トイレ容器１の底部を覆っている。なお、トイレ容器１は、プラスチック製のトレイである。
【００１８】
中敷ネット２０は、高吸水シート１０の上に配置されており、液通過性がある（図３参照、詳細は後述）。中敷ネット２０は、その大きさが、例えば、６０×６０ｃｍであり、トイレ容器１の底部よりも大きく、トイレ容器１の縁にかかり、つかみ易くなっている。
【００１９】
猫砂３０は、排泄物処理材であって、中敷ネット２０上に敷かれており、低吸水性と抗菌性と脱臭性とがある。猫砂３０は、造粒物であり、その表面の一部に撥水剤を噴霧すること、造粒するときに強い圧力を加えることにより、吸水性が調整されている（図４参照、詳細は後述）。
【００２０】
図２は、高吸水シート１０を示す図である。図２（ａ）は、断面図であり、図２（ｂ）は、図２（ａ）のｂ−ｂ断面図である。
高吸水シート１０は、防水フィルム１１と、吸水紙１２ａ，１２ｂと、吸水紙１２ａの上に配された不織布１６と、吸水紙１２ａ，１２ｂの間に配された混合物とを備えている。
防水フィルム１１は、例えば、ポリエチレンからなり、尿の横漏れやトイレ容器１の底部に尿がしみだしてしまわないように、高吸水シート１０の裏面から周縁部を覆っている。吸水紙１２ａ，１２ｂは、混合物を均一に分布させて、挟み込むものである。
【００２１】
混合物は、高吸水性樹脂１３とパルプ１４とカーボン材１５と抗菌剤とからなる。混合物は、３０×４５ｃｍの高吸水シート１０の内部に、１４ｇの高吸水性樹脂１３と、４０ｇのパルプ１４と、８ｇのカーボン材１５と、１ｇの抗菌剤とを含有しており、それぞれの含有量は通常の高吸水シートに比べて約５倍程度にもなり、例えば、猫の尿を最大２５００ｍＬ（個体差はあるが、猫の５〜７日分の排尿量）まで吸水し、抗菌作用によりバクテリアの繁殖を抑えて、臭いを抑えることができる。
【００２２】
高吸水性樹脂１３は、自重の５０乃至２０００倍の水を吸水しても固形を維持できる樹脂であり、例えば、ビニルエステルとエチレン系不飽和カルボン酸又はその誘導体との共重合体のケン化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩、プルランのゲルなどを使用できる。
【００２３】
カーボン材１５は、層状の結晶体を有する鉱物を特殊条件で処理した後に、高温で長時間焼成して得られる炭化物であって、その表面や層間に微細なカーボンが付着し、イオン結合により、臭いの素となるアンモニア、メルカプタン、脂肪酸等を強力に吸着する物質である。
【００２４】
高吸水シート１０は、吸水紙１２ｂ上に混合物が均一に配置され、その上に、吸水紙１２ａと不織布１６とが配置され、これらが積層された後に、エンボス加工される。そして、防水シート１１が高吸水シート１０の裏面と周縁を覆うように接着される。
混合物は、吸水紙１２ａ，１２ｂに挟まれてエンボス加工されているので、高吸水シート１０を通常使用しているときに、片寄ってしまうことがない。
【００２５】
図３は、中敷ネット２０を示す説明図である。図３（ａ）は、模式的に示す上面図であり、図３（ｂ）は、側面図である。
中敷ネット２０は、縦糸２１と横糸２２等とからなる。縦糸２１と横糸２２は、撥水性を有するポリエステル等からなり、それぞれ略直交するように重ねられており、その接点２３で接着されている。なお、この縦糸２１と横糸２２は、その太さが５００デニールである。
中敷ネット２０は、複数の縦糸２１及び横糸２２とが接点２３で接着されることにより、網目２４が形成されている。この網目２４は、その大きさが２×４ｍｍ程度であり、後述する猫砂３０の造粒物よりも小さく、猫砂３０が網目２４からこぼれ落ちない。
また、中敷ネット２０は、縦糸２１と横糸２２とが接点２３で接着されているので、編み込まれた場合と異なり、ほつれてしまうことがない。
【００２６】
図４は、猫砂３０を示す説明図である。図４（ａ）は、斜視図であり、図４（ｂ）は、部分拡大図である。
猫砂３０は、粉状ゼオライト９０重量部、粉状バインダー１０重量部を含有する混合物の造粒物である。この造粒物は、粒径及び長さが３．５乃至５．５ｍｍの円柱状であり、嵩密度が０．７ｇ／ｃｍ3である。
粉状バインダーは、例えば、ポリビニルアルコール（ＰＶＡ）、カルボキシメチルセルロース（ＣＭＣ）、メチルセルロース（ＭＣ）、澱粉、プルラン、ゼラチンなどを使用することができる。
【００２７】
猫砂３０は、４．０ｍｍ径の多数の孔と、１０ｍｍの厚さを有するスクリーンを備えた、いわゆる縦型押出し造粒機により造粒される。このスクリーンは、孔の径が４．０ｍｍと大きいので、造粒物の粒径を大きくでき、さらに、厚さは、１０ｍｍと厚いので、スクリーンの孔を通過させて造粒を行うときに、造粒物に強い圧力がかかり、造粒物の嵩密度を０．７ｇ／ｃｍ3とすることができる。なお、スクリーンは、孔径が３．５乃至４．５ｍｍであり、厚さが６．０乃至１３ｍｍであることが好ましく、この範囲であれば、粒径や嵩密度が大きい造粒物を得ることができる。
【００２８】
猫砂３０は、上述の造粒機によって、粉状ゼオライトが粉状バインダーと共に、加水され、強い圧力により固められるので、粉状ゼオライトの吸水性を低下させることができ、さらに、造粒物が固く締まって重いので、粉が舞うことが少なく、猫が砂をかけるときも、トイレ容器１の外に飛び散って汚さない。
猫砂３０は、その表面に、低吸水部３０ａと撥水部３０ｂとがある。低吸水部３０ａは、造粒のときに、粉状ゼオライトが固く締まっているために、低吸水性となる部分である。撥水部３０ｂは、造粒された後に、所望の撥水剤を噴霧することにより、撥水性となる部分である。撥水部３０ｂは、猫砂３０の表面積の３０乃至７０％を占めている。
【００２９】
猫砂３０は、その表面積に占める撥水部３０ｂの割合を調整することにより、液通過率を調整することができ、例えば、厚みが５ｃｍ程度であるときには、液通過率が９５％以上となる。このため、猫砂３０は、その表面に猫の尿が接触しても、表面積の３０乃至７０％が撥水性であるので、この尿は、猫砂３０や中敷ネット２０を素早く通過し、高吸水シート１０に吸収される。
【００３０】
また、猫砂３０は、例えば、トイレ容器１に約３．０Ｌ（約２．７ｋｇ）敷いて、実際に猫に使用してみたところ（１日当たり８０ｍＬ程度の排尿）、約４０日間使用しても、尿の臭いが殆どなかった。
【００３１】
つぎに、処理材セット１００の使用方法について説明する。
まず、トイレ容器１の底部に、高吸水シート１０を敷く。つぎに、高吸水シート１０の上に、中敷ネット２０を均一に被せる。そして、中敷ネット２０の上に、猫砂３０を３〜５．０ｃｍの高さになる程度に入れる。
処理材セット１００は、１層式のペット用トイレ５０に使用され、上述したように、猫砂３０は約４０日間使用でき、高吸水シート１０は５〜７日間使用できる。
【００３２】
図５は、高吸水シート１０や猫砂３０を取り替えるときの状態を示す図である。
飼い主は、中敷ネット２０を手でつかんで、猫砂３０を包み込んだ状態で持ち上げた後に、高吸水シート１０を新しいものと取り替える。なお、中敷ネット２０は、約６０×６０ｃｍの大きさで約５．０ｋｇ以上の重量に耐えることができる。
【００３３】
また、飼い主は、猫砂３０の吸水能力が損なわれてしまう前に新しいものに取り替える必要がある。そこで、飼い主は、処理材セット１００を使用開始して約４０日経過したときに、上述したように、中敷ネット２０を手でつかんで、猫砂３０ごと持ち上げた後に、猫砂３０を袋等に詰めて捨てる。このとき、猫砂３０は、猫の尿を吸収しているが、中敷ネット２０に包み込まれているので、猫砂３０が飼い主の手に付着することもなく、猫砂３０を清潔かつ容易に捨てることができる。
【００３４】
このように、実施例１の処理材セット１００によれば、以下のような効果がある。
（１）高吸水シート１０は、高吸水性樹脂１３、パルプ１４、カーボン材１５、抗菌剤の含有量が通常のものよりも多く、３０×４５ｃｍの大きさで５〜７日間、高吸水性、抗菌性、脱臭性を維持できる。
（２）中敷ネット２０は、縦糸２１と横糸２２とが重ねられ、接点２３で接着剤により接着されているので、通常の編み込まれているものと異なり、ほつれることがなく、長期間使用することができる。
（３）中敷ネット２０は、猫砂３０を持ち上げても破れることがなく、さらに、猫砂３０が中敷ネット２０に包み込まれるので、猫砂３０が飼い主の手に付着することがなく、猫砂３０や高吸水シート１０を安心して取り替えることができる。
（４）猫砂３０は、その表面に撥水部３０ｂがあるので、猫の尿が撥水部３０ｂに接触すると、この尿は、猫砂３０に吸収されずに、素早く中敷ネット２０を通過するので、高吸水シート１０に吸収されやすくできる。
（５）猫砂３０は、その表面に低吸水部３０ａがあるので、猫の尿が低吸水部３０ａに接触すると、この尿は、猫砂３０の表面に付着し、表面張力により液滴となったとしても、この液滴は吸収されるので、猫砂３０の表面には尿が残り難く、尿の臭いを抑えることができる。
【実施例２】
【００３５】
図６は、本発明による処理材セット１００の実施例２を示す図である。図６（ａ）は、処理材セット１００を使用している状態を示す断面図であり、図６（ｂ）は、高吸水シート１０を取り替える状態を示す図である。
処理材セット１００は、ここでは、トイレ容器１とすのこ状容器４０とからなる２層式のペット用トイレ５０Ａに使用されている。すのこ状容器４０は、トイレ容器１の内部に配置され、その底部に複数の孔があり、猫の尿を通過させるものである。
【００３６】
処理材セット１００は、図６（ａ）に示すように、トイレ容器１の底部に配置された高吸水シート１０と、すのこ状容器４０上に配置された中敷ネット２０と、中敷ネット２０の上に敷かれた猫砂３０等とを備えている。
この処理材セット１００が使用されたペット用トイレ５０Ａでは、図６（ｂ）に示すように、飼い主が中敷ネット２０を手でつかんで、猫砂３０を包み込んだ状態で持ち上げた後に、猫砂３０を捨てることができ、衛生的である。
【００３７】
このように、処理材セット１００を２層式のペット用トイレ５０Ａに使用することにより、以下のような効果がある。
（１）すのこ状容器４０を用いることなく、中敷ネット２０で、猫砂３０を取り替えることができる。このとき、飼い主は、すのこ状容器４０に猫の尿が残っていたとしても、すのこ状容器４０に触れる必要がないので、猫の尿が手に付着することがない。
（２）猫の尿は、猫砂３０と中敷ネット２０を素早く通過して、さらに、すのこ状容器４０を経て、高吸水シート１０に吸水されるので、猫砂３０や高吸水シート１０の吸水性、抗菌性が維持されている期間であれば、尿の臭いを抑えることができる。
【００３８】
（変形例）
以上説明した実施例に限定されることなく、種々の変形や変更が可能であって、それらも本発明の均等の範囲内である。
（１）処理材セット１００では、円柱状の猫砂３０を用いて、その表面の一部が撥水部３０ｂとなるように撥水剤を噴霧したが、これに限られず、例えば、球状にしてもよく、その表面に複数の突起部を有する形状にしてもよい。
図７は、猫砂３０の変形例を示す図である。
猫砂３０Ａは、図７（ａ）に示すように、その形状が球状であり、例えば、パン型造粒機により造粒される。猫砂３０Ａは、その表面に、低吸水部３０ｃと撥水部３０ｄとがある。
猫砂３０Ｂは、図７（ｂ）に示すように、その表面に複数の突起部を有する形状であり、その表面に、低吸水部３０ｅと撥水部３０ｆがある。
このようにすれば、猫砂３０Ａ，３０Ｂは、猫砂３０と同様に、その表面に尿が残り難く、臭いを抑えることができる。
【００３９】
（２）処理材セット１００では、中敷ネット２０を用いるようにしたが、トイレが１層式であれば、高吸水シート１０を積み重ねて、この高吸水シート１０の上に猫砂３０を直接敷いて、中敷ネット２０を使用しないようにしてもよい。
図８は、処理材セットの変形例を示す図である。
処理材セット１００Ａは、トイレ容器１Ａを用いた１層式のペット用トイレに使用されるものであって、例えば、高吸水シート１０ａ，１０ｂ，１０ｃと、猫砂３０等とを備えている。
トイレ容器１Ａは、トレイである。高吸水シート１０ａ，１０ｂ，１０ｃは、トイレ容器１Ａの底部に積み重ねられている。猫砂３０は、最表面側に配置された高吸水シート１０ａの上に、直接敷かれている。
このようにすれば、処理材セット１００Ａは、高吸水シート１０ａを５〜７日使用した後に、飼い主が高吸水シート１０ａの端を引っ張って、高吸水シート１０ａを取り出すことにより、高吸水シート１０ｂを最表面側として、その状態でさらに５〜７日間使用することができる。なお、高吸水シート１０ａ，１０ｂ，１０ｃは、その端に紐を取付ければ、トイレ容器１Ａから取り出し易くなる。
【００４０】
（３）処理材セット１００では、高吸水シート１０を取り替えるときに、図５、図６（ｂ）に示すように、飼い主が中敷ネット２０を手でつかんで、猫砂３０ごと持ち上げるようにしていたが、これに限られず、中敷ネット２０の周縁部に紐を取付けて引っ張ることにより、袋状（巾着状）にしてもよい。このようにすれば、飼い主は、紐を引っ張ることで、猫砂３０を中敷ネット２０で包み込むことができ、高吸水シート１０の取替えを容易に行うことができる。
（４）トイレ容器１，１Ａは、トレイ（底の浅い容器）としたが、これに限られず、例えば、各種の材質で形成された底の深い容器であってもよい。
【図面の簡単な説明】
【００４１】
【図１】本発明による愛玩動物用排泄物処理材セットの実施例１を示す図である。
【図２】高吸水シート１０を示す図である。
【図３】中敷ネット２０を示す説明図である。
【図４】猫砂３０を示す説明図である。
【図５】高吸水シート１０や猫砂３０を取り替えるときの状態を示す図である。
【図６】本発明による処理材セット１００の実施例２を示す図である。
【図７】猫砂３０の変形例を示す図である。
【図８】処理材セットの変形例を示す図である。
【符号の説明】
【００４２】
１    トイレ容器
１０    高吸水シート
１１    防水フィルム
１２ａ，１２ｂ    吸水紙
１３    高吸水性樹脂
１４    パルプ
１５    カーボン材
１６    不織布
２０    中敷ネット
２３    接点
２４    網目
３０    猫砂
３０ａ    低吸水部
３０ｂ    撥水部
１００    愛玩動物用排泄物処理材セット
【図１】
2008141956.tif 000003
【図２】
2008141956.tif 000004
【図３】
2008141956.tif 000005
【図４】
2008141956.tif 000006
【図５】
2008141956.tif 000007
【図６】
2008141956.tif 000008
【図７】
2008141956.tif 000009
【図８】
2008141956.tif 000010